(57)【要約】【課題】  本発明は、無線通信型の放射線撮影装置の操作性を向上させることを目的とする。【解決手段】  放射線画像の取得動作を制御する撮影制御装置と無線通信する放射線画像撮影装置であって、放射線を検出し、前記放射線画像を取得する放射線検出部と、複数の前記撮影画像制御装置の情報を記憶する記憶手段と、前記記憶手段に記憶された情報に基づき、複数の前記撮影画像制御装置から、無線通信を行う撮影画像制御装置を選択する選択手段と、前記選択手段で選択された撮影画像制御装置との無線通信を設定する設定手段とを有することを特徴とする。【選択図】  図１
2011125595.tif 000002
【特許請求の範囲】
【請求項１】
放射線画像の取得動作を制御する放射線画像撮影制御装置と無線通信する放射線画像撮影装置であって、
放射線を検出し、前記放射線画像を取得する放射線検出部と、
複数の前記放射線画像撮影制御装置の情報を記憶する記憶手段と、
前記記憶手段に記憶された情報に基づき、複数の前記放射線画像撮影制御装置から、無線通信を行う放射線画像撮影制御装置を選択する選択手段と、
前記選択手段で選択された放射線画像撮影制御装置との無線通信を設定する設定手段とを有することを特徴とする放射線画像撮影装置。
【請求項２】
前記選択手段で選択された放射線画像撮影制御装置との無線通信を、前記選択手段で選択された放射線画像撮影制御装置と異なる放射線画像撮影制御装置との無線通信に変更する変更手段を有することを特徴とする請求項１に記載の放射線画像撮影装置。
【請求項３】
前記無線通信を設定されている放射線画像撮影制御装置の情報を示す表示手段を有することを特徴とする請求項１に記載の放射線画像撮影装置。
【請求項４】
複数の前記放射線画像撮影制御装置の情報を前記記憶装置に登録する登録手段を有することを特徴とする請求項１乃至３のいずれか１項に記載の放射線画像撮影装置。
【発明の詳細な説明】
【技術分野】
【０００１】
本発明は、放射線を検出し、放射線画像を取得する放射線画像撮影装置に関するものである。
【背景技術】
【０００２】
従来のＤＲ（Ｄｉｇｉｔａｌ  Ｒａｄｉｏｇｒａｐｈｙ）を用いたデジタル放射線画像撮影システムでは、放射線画像撮影装置（電子カセッテ）は、電源供給や画像、制御信号を撮影制御装置との間で送受信するためのケーブルを有していた。
【０００３】
しかし、可搬型の電子カセッテの普及に伴い、カセッテの取り回し容易性や、ケーブルの断線により撮影に支障をきたす懸念から、電子カセッテと撮影制御装置が無線通信するケーブルレスの電子カセッテが製品化されている。無線通信型の電子カセッテではカセッテの取り回し容易性が向上するが、ケーブルレスのため、複数の電子カセッテがある場合には電子カセッテと撮影制御装置との通信状態を把握しにくくなる。
【０００４】
特許文献１には、複数の電子カセッテを備えたデジタル放射線画像撮影システムにおいて、撮影制御装置を操作することにより、複数の電子カセッテから所望の電子カセッテを選択し、通信を行うことが開示されている。
【先行技術文献】
【特許文献】
【０００５】
【特許文献１】特開２００９−４５１５０号公報
【発明の概要】
【発明が解決しようとする課題】
【０００６】
一般的に、放射線撮影を行う場合、放射線撮影室に電子カセッテが配置され、別室に放射線撮影制御装置が配置されている。放射線撮影を行う際には、まず、被検体に対して電子カセッテを設置し、別室の放射線撮影制御装置を操作する。よって、放射線撮影室に複数の電子カセッテがある場合には、被検体に対して電子カセッテを設置する際に、電子カセッテの取り違いを起こしてしまう可能性がある。
特許文献１におけるデジタル放射線画像撮影システムでは、別室の放射線撮影制御装置から通信中の電子カセッテを確認することが可能である。しかしながら、放射線撮影室では、どの電子カセッテが放射線画像撮影システムと通信を行っているかを確認することは出来ず、別室に行く必要がある。
【０００７】
本願発明は、上記課題を鑑みてなされたものであり、無線通信型の放射線撮影装置の操作性を向上させることを目的とする。
【課題を解決するための手段】
【０００８】
上記課題を解決するために、本願発明の放射線画像撮影装置は、放射線を検出し、放射線画像を取得する放射線検出部と、複数の撮影画像制御装置の情報を記憶する記憶手段と、前記記憶手段に記憶された情報に基づき、複数の撮影画像制御装置から撮影画像制御装置を選択する選択手段と、前記選択手段で選択された撮影画像制御装置との無線通信を設定する設定手段とを有することを特徴とする。
【発明の効果】
【０００９】
本発明によれば、無線通信型の放射線撮影装置の操作性を向上させることが出来る。
【図面の簡単な説明】
【００１０】
【図１】第一の実施形態における放射線撮影システムの構成図である。
【図２】第一の実施形態の送信開始入力手段１３における撮影装置識別手段の説明図である。
【図３】第一の実施形態におけるシステムのフローチャートを示す図である。
【図４】第二の実施形態における放射線撮影システムの構成図である。
【図５】第二の実施形態におけるシステムのフローチャート図である。
【図６】第三の実施形態における放射線撮影システムの構成図である。
【図７】第三の実施形態におけるシステムのフローチャート図である。
【発明を実施するための形態】
【００１１】
（第一の実施形態）
図１は、第一の実施形態に係わる放射線画像撮影システムの構成を示す図である。
【００１２】
図１において、１は、放射線曝射によって放射線撮影を行う放射線室である。２は、放射線室１の近傍に設置される制御室である。３は、放射線に反応してデジタル放射線画像データを生成する電子カセッテ（放射線画像撮影装置）であり、複数の放射線室間を移動して使用する。電子カセッテは、放射線を検出し、放射線画像を取得する放射線検出部を有する。また、複数の放射線画像撮影制御装置の情報を記憶する記憶手段を有する。４は、放射線発生装置である。５は、通信の制御や撮影条件の制御、放射線検出部の取得動作の制御などを行う放射線画像撮影制御装置である。６は、画像処理を行うＰＣ等の画像処理装置である。７は、画像処理されたデジタル放射線画像データの表示やＧＵＩの表示に利用されるディスプレイである。８は、ＩｒＤＡ等の無線通信に対応したエントリー装置である。９は、無線通信部１０と対向して無線通信を行うと共に放射線画像制御装置５や画像処理装置６とも通信を行う同期アクセスポイントである。エントリー装置８と同期アクセスポイント９は、別々のユニットとしても良いし、単一のユニットであっても良い。１０は、同期アクセスポイント９とＩＥＥＥ８０２．１１規格等を用いた無線通信を行う無線通信部である。１１は、エントリー装置８との無線を行う無線通信部である。１２は、放射線室毎にあるエントリー装置、もしくは同期アクセスポイントとの無線通信時に送信する、パラメータ情報を記憶するメモリ部である。ここで、パラメータ情報とは、撮影装置の固有シリアル番号などのＩＤ情報や同期アクセスポイント９と無線通信部１０の無線通信接続を確立する物理チャンネル（周波数等）や通信方式（ＩＥＥＥ８０２．１１ａ．ｂ．ｇ．ｎ等）、ＥＳＳＩＤ等を含む。１３は、無線通信部１１の通信を開始する送信開始入力手段であり、放射線画像制御装置を識別する手段も有している。１４は、同期アクセスポイントと放射線画像制御装置４間を有線接続する接続ケーブルである。１５は、同期アクセスポイントと画像処理装置６間を有線接続するＥｔｈｅｒｎｅｔ（登録商標）等の接続ケーブルである。１６は、画像処理装置を接続する院内ＬＡＮ等の基幹ネットワークである。１７は、エントリー装置８と画像処理装置６を接続するＵＳＢ等の有線接続である。１８は、前記４〜９、１４〜１７の機能をもつ第二の放射線室と制御室である。
【００１３】
図２は、送信開始入力手段１３の放射線画像制御装置識別手段の説明図である。図２（ａ）は、使用する撮影装置の数だけボタンが用意されている。図２（ｂ）は、液晶タッチパネルに通信接続可能な放射線画像制御装置が表示され、所望の放射線画像制御装置の表示箇所を触れることにより通信が開始される。図２（ｃ）は、カウンタの数値と放射線画像制御装置の種別が関連付けされており、適当なカウンタの数字でボタンを押すことにより、通信が開始される。図２（ｄ）は、方向性スイッチであり、スイッチ方向と放射線画像制御装置の種別が関連付けされており、適切な方向でボタンを押すことにより通信が開始される。図２（ｅ）は変色ボタンであり、色と放射線画像制御装置の種別が関連付けされており、ボタンを押すごとに色が変わり、適切な色でボタンを長押しすることにより通信が開始される。
【００１４】
図３は、第一の実施形態に係わるシステムのフローチャート図である。図３（ａ）は、通信条件を変更する箇所が、電子カセッテ側の場合を示し、図３（ｂ）は、通信条件を変更する箇所が、撮影装置側の場合を示している。
【００１５】
図３（ａ）において、ステップＳ１では、送信開始入力手段１３の押下げにより所望の放射線画像制御装置を選択する。ステップＳ２では、電子カセッテ側で、メモリ部１２に記憶された所望の放射線画像制御装置のパラメータ情報に基づき、無線通信部１０の通信条件を設定する。ステップＳ３では、電子カセッテ３のメモリ部１２内に記憶されたパラメータ情報に含まれる放射線画像制御装置のＩＤ情報を無線通信部１０から送信する。ステップＳ４では、ステップＳ３の情報を同期アクセスポイント９で受信する。ステップＳ５では、放射線画像制御装置５が、ステップＳ３で受信した情報を割り込み信号の形式で受け取り、そこで撮影装置ＩＤ情報により電子カセッテ３が通信したい放射線画像制御装置が自分であるかを判断する。ステップＳ６では、装置制御部５が電子カセッテ３との通信が確立されたことを確認する。ステップＳ７では、システムの無線通信接続の確認を受け、操作者は撮影準備に入る。一方、ステップＳ５で撮影装置のＩＤ情報が、受信側の撮影装置のＩＤ情報と一致しない場合は、ステップＳ８に移行し、装置制御部５が通信接続を拒否する信号を出す。ステップＳ９では、同期アクセスポイントを受信待機状態にする。
【００１６】
図３（ｂ）において、ステップＳ１０では、電子カセッテ３のメモリ部１２内に記憶された同期アクセスポイント９と無線通信部１０の無線通信接続を確立する通信設定条件の情報や撮影装置のＩＤ情報を無線通信部１１から送信する。ステップＳ１１では、ステップＳ１０の情報を常時受信待機中であるエントリー装置８で受信する。ステップＳ１２では、ステップＳ１１で受信したパラメータ情報により、同期アクセスポイント９の通信条件を設定する。ステップＳ１３では、同期アクセスポイント９と無線通信部１０との通信を開始する。ステップＳ１４では、エントリー装置８を受信待機状態にする。
【００１７】
以上の構成により、ステップＳ５で撮影装置のＩＤ情報が、受信側の撮影装置のＩＤ情報と一致する場合、ステップＳ６、１２に移行し、ＩＤ情報が不一致の場合、ステップＳ８に移行する。そして、ステップＳ６では、通信確認がされない場合は、ステップＳ１に戻り、再度ステップＳ１とステップＳ６間を繰り返す。また、ステップＳ１に戻る際やステップＳ８では、エントリー装置や同期アクセスポイントが音や光を発する手段を持ち、撮影室内の操作者にエラー情報や再接続の必要性を知らせても良い。以上の流れから、操作者が撮影時に必ず接触する電子カセッテ側から装置制御部との通信を開始することが可能となり、操作性が向上した放射線画像撮影システムを提供することが出来る。
【００１８】
（第二の実施形態）
図４は、第二の実施形態に係わる放射線画像撮影システムの構成を示す図である。
【００１９】
第二の実施形態では、電子カセッテが、撮影室に１台の撮影装置がある場合の通信だけではなく、撮影室に複数の撮影装置がある場合に、所望の撮影装置を指定して通信可能とする。さらには電子カセッテが複数ある場合の撮影装置との混線防止を鑑みたものである。
【００２０】
図４において、２０、２１は、可般型の放射線画像撮影装置であり、第一の実施形態で示した４〜９、１４〜１７の手段を持っている。２２は、無線通信可能な電子カセッテであり、第一の実施形態で示した１０〜１３の手段を持っている。メモリ部１２は、８、２０、２１のエントリー装置との無線通信接続で送信する、各撮影装置のＩＤ情報や各同期アクセスポイントと無線通信部１０の無線通信接続を確立する物理チャンネルや通信方式、ＥＳＳＩＤ等のパラメータ情報を記憶している。送信開始入力手段１３は、第一の実施形態に示した放射線画像撮影装置の種別の識別ではなく、放射線発生装置の管球方向や位置情報で識別しても良い。
【００２１】
図５は、第二の実施形態に係わるシステムのフローチャート図である。
図５において、ステップＳ２０では、電子カセッテ３のメモリ部１２内に記憶された所望の放射線画像撮影装置のＩＤ情報と所望の放射線画像撮影装置の同期アクセスポイントと無線通信部１０の無線通信接続を確立するパラメータ情報を送信する。ステップＳ２１では、ステップＳ１１で受信したパラメータ情報より、通信設定条件が現在の設定と異なるか否かで、所望の放射線画像撮影制御装置が別のカセッテと通信中かを判断する。ステップＳ２２では、通信設定条件が異なる別カセッテとの通信を切断する。
【００２２】
以上の構成により、ステップＳ２１で現在の通信設定条件がステップＳ１１で受信したものと異なると判断された場合は、ステップＳ２２で通信中のカセッテとの通信接続を切断する。逆に、ステップＳ２１で通信設定条件がステップＳ１１で受信したものと同じと判断された場合には、ステップＳ２２を飛ばし、ステップＳ１２に移行し、撮影動作へと移る。また、ステップＳ２２を行わない際には、ステップＳ６を行わなくても良い。
【００２３】
以上の流れから、電子カセッテが、複数の放射線画像撮影制御装置から所望の無線通信を行う放射線画像撮影制御装置を指定して通信することが可能となる。そして、電子カセッテが複数ある場合でも、以上で説明した通信接続の流れから、他の電子カセッテが所望の放射線画像撮影制御装置と通信可能な状態であっても、所望の電子カセッテと所望の放射線画像撮影制御装置との通信を確立することが可能である。これより、電子カセッテを取り違えることがなくなり、操作性が向上する。
【００２４】
（第三の実施形態）
図６は、第三の実施形態に係わる放射線画像撮影システムの構成を示す図である。
【００２５】
第三の実施形態では、第一の実施形態、２に対して、撮影装置のＩＤ情報や、通信設定条件等のパラメータ情報を電子カセッテのメモリ部に登録する方法を鑑みたものである。
【００２６】
図６において、３０は、放射線撮影装置２０のパラメータ情報の送信を開始する登録開始入力手段である。３１は、電子カセッテ３のメモリ部１２にパラメータ情報の受信、登録作業を開始する登録受信開始入力手段である。この登録受信開始入力手段３１は、送信開始入力手段１３と単一のユニットであっても良い。また、電子カセッテへのパラメータ情報の登録には、比較的近距離で通信を行うＩｒＤＡ等の無線通信に対応した撮影装置側のエントリー装置８と電子カセッテ側の無線通信部１１を使用するのが望ましい。
【００２７】
図７は、第三の実施形態に係わるシステムのフローチャート図である。
【００２８】
図７において、ステップＳ３１は、登録開始入力手段３０を押下げによって送信待機状態を開始する。ステップＳ３２は、登録受信開始入力手段３１を押下げによって受信待機状態を開始する。ステップＳ３１とステップＳ３２は、どちらが先でも良い。ステップＳ３３は、撮影装置側と電子カセッテ側で互いに通信接続されたことを確認する。ステップＳ３４は、撮影装置のＩＤ情報や、通信設定条件等のパラメータ情報をエントリー装置８から送信する。ステップＳ３５は、無線通信部１１でステップＳ３３の情報を受信し、メモリ部１２に登録する。ステップＳ３６は、通信接続を終了し、切断する。
【００２９】
以上の構成により、登録開始入力手段３０の押下げにより、放射線画像撮影制御装置からパラメータ情報が送信される。その前後で、登録受信開始入力手段３１を使用することで、電子カセッテが放射線画像撮影制御装置からの信号を受信し、メモリ部にパラメータ情報を登録することができる。また、第一の実施形態で示した院内ＬＡＮ等の基幹ネットワーク１６で使用可能な撮影装置情報を一括で管理しておけば、複数の放射線画像撮影制御装置のパラメータ情報を一度に登録することも可能である。これより、新たに使用可能な放射線画像撮影制御装置が増えた場合でも、直ちに登録作業を行うことで、電子カセッテ側から所望の放射線画像撮影制御装置に通信可能となり、さらに操作性が向上した放射線画像撮影システムを提供することが出来る。
【図１】
2011125595.tif 000003
【図２】
2011125595.tif 000004
【図３】
2011125595.tif 000005
【図４】
2011125595.tif 000006
【図５】
2011125595.tif 000007
【図６】
2011125595.tif 000008
【図７】
2011125595.tif 000009